(57)【要約】      （修正有）【課題】着用した後、視覚感覚器官による見え方が明晰で、段階が豊富で、紫外線とその他の目視線に有害を及ぼす迷光、グレアの光波に対してより良く濾過する作用を有するホログラフィック眼鏡を提供する。【解決手段】ホログラフィック眼鏡はレンズ１を含み、レンズの中央部注視光エリアをフリーフォーカスレンズ５とし、光心４からレンズ辺縁に沿う方向に半経が４．５ｍｍ以上となる蝶形ホログラフィックフォーカス変更リングを有する。レンズの外囲を光路ガイドエリア２とし、フリーフォーカスレンズが光心から１６ｍｍの範囲でフリーフォーカスを行う。光心から４．５ｍｍの範囲を遠方光フォーカスエリア６とし、４．５ｍｍから１１．５ｍｍの範囲を中距離光フォーカスエリア３とし、１１．５ｍｍから１６ｍｍの範囲を近方光フォーカスエリア７とし、１６ｍｍからレンズ最辺縁の３８ｍｍの範囲を光路ガイドエリアとする。【選択図】図１
2019082670.tif 000002
【特許請求の範囲】
【請求項１】
レンズ（１）を含むホログラフィック眼鏡において、前記レンズ（１）の中央部注視光エリアをフリーフォーカスレンズ（５）として、レンズ（１）の外囲が光路ガイドエリア（２）として定義され、前記フリーフォーカスレンズ（５）が光心から１６ｍｍ離れる範囲内でフリーフォーカスを行い、光心からレンズ外辺縁に４．５ｍｍ離れる区間が遠方光フォーカスエリア（６）として、４．５ｍｍ箇所から１１．５ｍｍ箇所に至る区間が中距離光フォーカスエリア（３）として、１１．５ｍｍ箇所から１６ｍｍ箇所に至る区間が近方光フォーカスエリア（７）として、１６ｍｍ箇所からレンズ最辺縁の３８ｍｍ箇所に至る区間が光路ガイドエリア（２）として定義されることを特徴とするホログラフィック眼鏡。
【請求項２】
前記遠方光フォーカスエリア（６）の光心からレンズ辺縁に沿う方向に半経が４．５ｍｍ以上となる蝶形ホログラフィックフォーカス変更リングを有することを特徴とする請求項１に記載のホログラフィック眼鏡。
【請求項３】
光心（４）からレンズ外辺縁へ０．５ｍｍ離れる度に、度数が０．０１度逓増或は逓減することを特徴とする請求項１に記載のホログラフィック眼鏡。
【発明の詳細な説明】
【技術分野】
【０００１】
本発明は眼鏡部材分野に関し、具体的にはホログラフィック眼鏡に関する。
【背景技術】
【０００２】
眼鏡はフレーム内にレンズが嵌入されるものであり、目の前方に掛け、視力を改善し、目の保護或は装飾を用途とする。眼鏡は、近視、遠視、乱視、老眼或は斜視等を含む多種の不具合視力を矯正する。眼鏡はレンズ、眼鏡のフレームにより構成される。近視眼鏡、遠視眼鏡、老眼眼鏡及び乱視眼鏡の四種に分けられる。特製の眼鏡であれば３Ｄ立体影像或はバーチャル影像を見ることができる。他の種類の眼鏡はゴーグル、サングラス、スイミングゴーグル等を含み、目のために様々な保護を提供する。現在の眼鏡は通常、レンズの中央に鼻ブラケットが設置され、及び左右両アームにおける耳に対応する位置にパッドが設置される。見た目を気にする人或は眼鏡の着用が慣れない人は、コンタクトレンズを選択して視力を矯正できる。従来の眼鏡レンズは１つのみのフォーカス（単焦点）を有しており、着用後に斜め収差が生じ、シャープネスが低下し、段階が不明確で、感覚器官による見え方が悪くなり、且つ目視線に有害を及ぼす迷光、グレアの光波に対する濾過効果が悪くなる。
【発明の概要】
【発明が解決しようとする課題】
【０００３】
本発明の目的は、前記背景技術に提出された問題を解決するようにホログラフィック眼鏡を提供することにある。
【課題を解決するための手段】
【０００４】
前記目的を実現する為に、本発明は下記のような技術案を提供する。
【０００５】
ホログラフィック眼鏡は、レンズ（１）を含み、前記レンズ（１）の中央部注視光エリアが、それぞれフリーフォーカスレンズ（５）となり、及び光心からレンズ辺縁に沿う方向に半経が４．５ｍｍ以上となる蝶形ホログラフィックフォーカス変更リングを有する。
【０００６】
レンズ（１）の外囲を光路ガイドエリア（２）として、前記フリーフォーカスレンズ（５）は光心から１６ｍｍ離れる範囲内でフリーフォーカスを行い、光心からレンズ外辺縁に４．５ｍｍ離れる区間が遠方光フォーカスエリア（６）として、４．５ｍｍ箇所から１１．５ｍｍ箇所に至る区間が中距離光フォーカスエリア（３）として、１１．５ｍｍ箇所から１６ｍｍ箇所に至る区間が近方光フォーカスエリア（７）として、１６ｍｍ箇所からレンズ最辺縁の３８ｍｍ箇所に至る区間が光路ガイドエリア（２）として定義される。
【０００７】
ホログラフィック眼鏡において、前記遠方光フォーカスエリア（６）の光心からレンズ辺縁に沿う方向に半経が４．５ｍｍ以上となる蝶形ホログラフィックフォーカス変更リングを有する。
【０００８】
ホログラフィック眼鏡において、光心（４）からレンズ外辺縁に０．５ｍｍ離れる度に度数が０．０１度逓増或は逓減することを特徴とする。
【０００９】
従来の技術と比べて、本発明の有益な効果は、従来のレンズは一つのみのフォーカス（単焦点）を有しているが、改善後のレンズはフリーフォーカスレンズ内で光心から１６ｍｍ離れる範囲内でフリーフォーカスを行い、０．５ｍｍ離れる度に度数が０．０１度逓増或は逓減し、フリーフォーカスレンズの光心から１６ｍｍ離れる注視光エリアには、それぞれ遠方光フォーカスエリア、近方光フォーカスエリア及び中距離光フォーカスエリアが設置される。本発明のホログラフィック眼鏡を着用した後、視覚感覚器官による見え方が明晰で、段階が豊富で、紫外線とその他の目視線に有害を及ぼす迷光、グレアの光波に対してより良く濾過する作用を有する。
【図面の簡単な説明】
【００１０】
【図１】図１は本発明の正面構造模式図である。
【図２】図２は本発明の側視斜視模式図である。
【図３】図３は本発明の全体構造模式図である。
【発明を実施するための形態】
【００１１】
以下、本発明の実施例による図面を結合して、本発明の実施例による技術方案について明瞭、完備に説明し、これらの実施例は本発明の一部分の実施例のみであり、全ての実施例ではない。本発明の実施例に基づき、当業者が創造的な労動を果たさしない前提下で取得される全ての他の実施例は、本発明の保護範囲に属する。
【００１２】
図１〜３に示されたように、本発明の実施例における、ホログラフィック眼鏡は、レンズ（１）を含み、前記レンズ（１）の中央部注視光エリアが、フリーフォーカスレンズ（５）になり、光心からレンズ辺縁に沿う方向に半経が４．５ｍｍ以上となる蝶形ホログラフィック（ホログラム）フォーカス変更リングを有する。
【００１３】
レンズ（１）の外囲を光路ガイドエリア（２）とし、普通の透明樹脂からなる光路ガイドエリア（２）ではフォーカス合せは行わず、前記フリーフォーカスレンズ（５）における光心（４）から１６ｍｍ離れる範囲内でフリーフォーカスを行い、特定の光心（４）の度数を設定する時、光心（４）からレンズ外辺縁に０．５ｍｍ離れる度に度数が０．０１度強く或は弱くさせる。光心からレンズ外辺縁に４．５ｍｍ離れる区間を遠方光フォーカスエリア（６）として、４．５ｍｍ箇所から１１．５ｍｍ箇所に至る区間を中距離光フォーカスエリア（３）として、１１．５ｍｍから１６ｍｍに至る区間を近方光フォーカスエリア（７）として、１６ｍｍからレンズ最辺縁３８ｍｍに至る区間が光路ガイドエリア（２）として定義される。
【００１４】
従来のレンズは一つのみのフォーカス（単焦点）を有し、改善後のレンズ（１）は、フリーフォーカスレンズ５内で光心４から１６ｍｍに離れる範囲内でフリーフォーカスを行い、０．５ｍｍ離れる度に度数が０．０１度逓増或は逓減し、光心からレンズ外辺縁に４．５ｍｍに離れる区間を遠方光フォーカスエリア（６）として、４．５ｍｍ箇所から１１．５ｍｍ箇所に至る区間を中距離光フォーカスエリア（３）として、１１．５ｍｍから１６ｍｍに至る区間を近方光フォーカスエリア（７）として、１６ｍｍからレンズ最辺縁の３８ｍｍに至る区間を光路ガイドエリア（２）として定義する。
【００１５】
フリーフォーカスレンズの光心から１６ｍｍ離れる注視光エリアに、それぞれ遠方光フォーカスエリア（６）、近方光フォーカスエリア（７）及び中距離光フォーカスエリア（３）が設置され、感覚器官による見え方が明晰で、段階が豊富で、紫外線とその他の目視線に有害を及ぼす迷光、グレアの光波に対してより良く濾過する作用がある。
【００１６】
以上の記載は本発明の好ましい実施形態のみであり、当業者にとって、本発明の構想を離脱しない前提下で更に若干変形及び改善を行うことができるが、本発明の保護範囲と見なすべきであり、本発明の実施効果及び特許の実用性に影響しない。
【符号の説明】
【００１７】
１…レンズ、２…光路ガイドエリア、３…中距離光フォーカスエリア、４…光心、５…フリーフォーカスレンズ、６…遠方光フォーカスエリア、７…近方光フォーカスエリア、８…０．０１度毎逓増或は逓減。
【図１】
2019082670.tif 000003
【図２】
2019082670.tif 000004
【図３】
2019082670.tif 000005